(57)【要約】      （修正有）【課題】テーブル方向から見た場合にパビリオン側に形成したカット形状のみならず、その反射による虚像のカット形状が一体的に浮き出るようにした新規な宝石類のカット構造を提供する。【解決手段】パビリオン１４の底部に向って５個の基本カット面Ｂ１〜Ｂ５の頂部が集まり、相隣接する基本カット面は隣接する端辺２１，２２・・・をそれぞれ共通とし、前記共通とする端辺に沿ってキューレット１６側に向って小カットを施して、当該小カット面Ａ１〜Ａ１０の結合体からなる輪郭が星形となるようにした。【選択図】 図３
2007252684.tif 000002
【特許請求の範囲】
【請求項１】
宝石類のカットが次のＡ〜Ｄの要件を満たしていることを特徴とする宝石類のカット構造。
Ａ）パビリオンの底部に向って５個の基本カット面の頂部が集まり、相隣接する基本カット面は隣接する端辺をそれぞれ共通とし、
Ｂ）前記共通とする端辺に沿ってキューレット側に向って小カットを施して、当該小カット面の結合体からなる輪郭が星形となるようにし、
Ｃ）星形をなす小カット面の結合体の輪郭が、１のパビリオンに形成された星形の先端に対向するパビリオンの上記基本カット面に反射してテーブルから見えるようにすることにより、
Ｄ）星形をなす小カット面の結合体をテーブル方向から見たときに基本カット面で反射して見える虚像の星形をなす小カット面の結合体の先端と、本来の星形をなす小カット面の結合体の先端とが重複せず、２つの星形が重なってテーブル方向から見えるようにした。
【請求項２】
星形をなす小カット面の結合体が、テーブル全体の輪郭内に納まるようにしたことを特徴とする請求項１記載の宝石類のカット構造。
【発明の詳細な説明】
【技術分野】
【０００１】
この発明は新規な宝石類のカット構造に関するものであり、ダイヤモンドやその他の宝石類を特定の形状にカットすることにより、テーブル方向から見た場合にパビリオン側に形成したカット形状のみならず、その反射による虚像のカット形状が一体的に浮き出るようにしたものである。
【背景技術】
【０００２】
従来、ダイヤモンドのカットはラウンドブリリアントカットと称される５８面体カットを基本としており、クラウン側を主に光らせるためにクラウン側に多面体のカットを施し、パビリオン側には装飾的なカットは行っていなかった。
【０００３】
そのため、例えば特開２００４−１９４７７８公報（特許文献１参照）、特開２００４−１９４７７９公報（特許文献２参照）等に見られるように、パビリオンの最底部の四角形の面で形成された星形の五角形の平面視における外径と、クラウンの平面部の直径はほぼ等しく、クラウンの平面部は十角形であり、ガードルとクラウンの平面部に対向した頂部がそれぞれ接している四角形の面の平面部側の頂部は十角形各辺の中央部において接しているようにして、テーブル方向からパビリオンに施したカット面の星形が見えるようにしたものが知られている。
【特許文献１】特開２００４−１９４７７８公報
【特許文献２】特開２００４−１９４７７９公報
【発明の開示】
【発明が解決しようとする課題】
【０００４】
確かに、上記特許文献１および２に記載のダイヤモンドのカット構造においては、従来利用していなかったパビリオン側にもカットを施し、これがクラウン側に模様として浮き出るようにして新鮮味を出すことにおいて本願発明と共通している。
【０００５】
しかしながら、上記特許文献１および２に記載のダイヤモンドのカット構造においては、テーブル方向からパビリオンに施したカット面の星形が見えるようにしたに過ぎず、新鮮味はあるかもしれないが、意外性に欠ける嫌いがある。
【課題を解決するための手段】
【０００６】
そこで、この発明にかかる宝石類のカット構造は、宝石類のカットが次のＡ〜Ｄの要件を満たしていることを特徴とするものである。
Ａ）パビリオンの底部に向って５個の基本カット面の頂部が集まり、相隣接する基本カット面は隣接する端辺をそれぞれ共通とし、
Ｂ）前記共通とする端辺に沿ってキューレット側に向って小カットを施して、当該小カット面の結合体からなる輪郭が星形となるようにし、
Ｃ）星形をなす小カット面の結合体の輪郭が、１のパビリオンに形成された星形の先端に対向するパビリオンの上記基本カット面に反射してテーブルから見えるようにすることにより、
Ｄ）星形をなす小カット面の結合体をテーブル方向から見たときに基本カット面で反射して見える虚像の星形をなす小カット面の結合体の先端と、本来の星形をなす小カット面の結合体の先端とが重複せず、２つの星形が重なってテーブル方向から見えるようにした。
【０００７】
この発明にかかる宝石類のカット構造は、上記星形をなす小カット面の結合体が、テーブル全体の輪郭内に納まるようにしたことをも特徴とするものである。
【発明の効果】
【０００８】
この発明は宝石類の屈折率を利用することにより、星形をなす小カット面の結合体をテーブル方向から見たときに基本カット面で反射して見える虚像の星形をなす小カット面の結合体の先端と、本来の星形をなす小カット面の結合体の先端とが重複せず、２つの星形が重なってテーブル方向から見えるようにしたものである。
【０００９】
したがって、単にパビリオン部分の星形をなす小カット面の結合体のみでは想像できない虚像の星形をなす小カット面の結合体がテーブル方向からも見ることができ、意外性に富んだ宝石類のカット構造を提供することができるようになった。
【発明を実施するための最良の形態】
【００１０】
次に、この発明の宝石類のカット構造の実施の形態を図面に基いて詳細に説明する。
図１はこの発明の宝石類のカット構造の１実施例を示す平面図、図２はその側面図、図３はその底面図、図４は虚像の星形をなす小カット面の結合体をも表した平面図、また図５は虚像の星形をなす小カット面の結合体がテーブル方向から見える原理を示す側面図である。
【００１１】
図１ないし図３において、この発明の１実施例を示すダイヤモンド等からなる宝石類１１は、テーブル１２を囲むクラウン１３の部分が、通常のカッティングと同様にテーブル１２が８角形の輪郭に囲むようにカットされている。
次にパビリオン１４を５等分して５個のV字形の基本カット面Ｂ１〜Ｂ５を形成する。すなわち相隣接する各基本カット面Ｂ１〜Ｂ５が、それぞれ隣接する端辺２１，２２・・・が共通するとともに、その扇形の面がガードル１５を基準面とした場合、この基準面に対しなす角度が後述の虚像の星形をなす小カット面の結合体がテーブル１２から見える角度にカットする。
【００１２】
ついでパビリオン１４の５個のV字形の基本カット面Ｂ１〜Ｂ５の共通とする端辺に沿って、キューレット１６側に向って１０個の三角形の小カット面Ａ１〜Ａ１０を施す。
すなわち、上記基本カット面Ｂ１〜Ｂ５の共通とする端辺２１から隣接する端辺２２に向ってカットし、カットして得た小カット面Ａ１の、隣接する小カット面Ａ２と交差した辺を上記端辺２１，２２の延長線上に位置する端辺２１−２，２２−２より小さい端辺２３として、三角形の小カット面Ａ１〜Ａ１０を得る。したがって端辺２１−２と小端辺２３間に残る端辺２４も端辺２１−２より小さい端辺となり、この小端辺２４が連結されてなす当該小カット面Ａ１〜Ａ１０の結合体からなる輪郭３１が星形となるのである。
この星形をなす小カット面Ａ１〜Ａ１０の結合体の輪郭３１は、ほぼテーブル１２の輪郭内に収まる大きさとすることが望ましい。
【００１３】
なお、５個のV字形の基本カット面Ｂ１〜Ｂ５の隣接する端辺２１はガードル１５側に向ってカットされて、所定の間隔に配置した５個の副カット面Ｃ１〜Ｃ５となっており、円形のガードル１５が形成されやすいようになっている。
【００１４】
以上のようにしてダイヤモンド等からなる宝石類１１をカットすると、この発明の宝石類のカット構造が形成される。このような形状にカットした結果、テーブル１２方向からパビリオン１４側を見ると、図４に実線で示した小カット面Ａ１〜Ａ１０の結合体からなる星形の輪郭３１のみならず、図５のように基本カット面Ｂ１〜Ｂ５で上記星形の輪郭３１が反射して見えることになり、星形をなす小カット面Ａ１〜Ａ１０の結合体の輪郭３１が点線で示す虚像となってテーブル１２方向から見えることになるのである。
【００１５】
そして、図４および図５に示すように、本来の星形をなす小カット面Ａ１〜Ａ１０の結合体の輪郭３１の先端Ｄ１は、基本カット面Ｂ３と対向しているので、本来の星形をなす小カット面Ａ１〜Ａ１０の結合体の輪郭３１の先端Ｄ１と、虚像の星形をなす小カット面Ａ１’〜Ａ１０’の結合体の輪郭３１’の先端Ｄ１’とは重複せず、２つの星形が重なってテーブル方向から見えるようになる。
【００１６】
なお、上記実施例は基本カット面Ｂ１〜Ｂ５を５個として星形を五角形となるよう構成したが、基本カット面のカット数はこの五角形に限定されるものではなく奇数角形であればよい。もちろん、基本カット面をＮ個とした場合、小カット面は２Ｎ個とし、また基本カット面の角度は所定の範囲にする必要がある。
【産業上の利用可能性】
【００１７】
この発明にかかる宝石類のカット構造についてダイヤモンドを例にとって説明したが、人造ダイヤや、その他の透明な宝石類にもこの発明の宝石類をカット構造を適用することが可能である。
【図面の簡単な説明】
【００１８】
【図１】この発明の宝石類のカット構造の１実施例を示す平面図である。
【図２】その側面図である。
【図３】その底面図である。
【図４】虚像の星形をなす小カット面の結合体をも表した平面図である。
【図５】虚像の星形をなす小カット面の結合体がテーブル方向から見える原理を示す側面図である。
【符号の説明】
【００１９】
１１  宝石類
１２  テーブル
１３  クラウン
１４  パビリオン
１５  ガードル
１６  キューレット
２１，２２・・・  端辺
２１−２，２２−２  端辺
２３  小端辺
２４  端辺
３１，３１’  輪郭
Ａ１〜Ａ１０，Ａ１’〜Ａ１０’  小カット面
Ｂ１〜Ｂ５  基本カット面
Ｃ１〜Ｃ５  副カット面
Ｄ１，Ｄ１’  小カット面の結合体の輪郭の先端
【図１】
2007252684.tif 000003
【図２】
2007252684.tif 000004
【図３】
2007252684.tif 000005
【図４】
2007252684.tif 000006
【図５】
2007252684.tif 000007